(57)【要約】【課題】前面扉を開くための手掛かり部が、見栄えを損なうことなく簡単な構成として設けられており、しかもキャビネット内の収納スペースを有効利用して収納力を高めることの可能な取手を設けないタイプのアッパーキャビネットを実現する。【解決手段】キャビネット本体部２の底板８は、下面が前面扉３の下端と同一高さに揃えられ、かつ前面端１７の少なくとも幅方向の一部がキャビネット本体部２の他の部分の前面端よりも後退した位置に設けられることにより、前面扉３を開閉するための手掛かり部が形成されており、前面扉３の内面のうち、手掛かり部に対応する位置には桟状の収納部材２２が取り付けられていおり、前面扉３の内面には、収納部材２２よりも上方の位置に、収納物を保持するための保持部材２６が設けられている。【選択図】図１
2015217061.tif 000002
【特許請求の範囲】
【請求項１】
壁面に設置されるアッパーキャビネットであって、
前記アッパーキャビネットは、前面が開放するように箱状に形成され、内部を収納部とするキャビネット本体部と、前記キャビネット本体部の前面側に取り付けられ、前記キャビネット本体部の側板または天板のいずれかに沿った軸を中心として回動するように開閉する前面扉と、を備え、
前記キャビネット本体部の底板は、下面が前記前面扉の下端と同一高さに揃えられ、かつ前面端の少なくとも横幅方向の一部が前記キャビネット本体部の他の部分の前面端よりも後退した位置に設けられることにより、前記前面扉を開閉するための手掛かり部が形成されており、
前記前面扉の内面のうち、前記手掛かり部に対応する位置には桟状の収納部材が取り付けられていることを特徴とするアッパーキャビネット。
【請求項２】
前記キャビネット本体部の底板は、前面端の全部が前記キャビネット本体部の他の部分の前面端よりも後退した位置に設けられ、
前記収納部材は、前記キャビネット本体部の底板の横幅方向全域に対応する幅寸法に設定されていることを特徴とする請求項１に記載のアッパーキャビネット。
【請求項３】
前記前面扉の内面には、前記収納部材よりも上方の位置に、収納物を保持するための保持部材が設けられていることを特徴とする請求項１または２に記載のアッパーキャビネット。
【発明の詳細な説明】
【技術分野】
【０００１】
本発明は、キッチンの上方等の壁面に設置されるアッパーキャビネットに関するものである。
【背景技術】
【０００２】
従来の一般的なアッパーキャビネットとして、前面扉に取手が設けられたものが知られているが、前面扉に取手が設けられていない取手レスのアッパーキャビネットも知られている。
【０００３】
取手レスのアッパーキャビネットとしては、図４（ａ）、（ｂ）に示す従来例１のアッパーキャビネット３１のように、底板３２を側板３３より前後方向の寸法について短くし前面扉３６との間に隙間３７を設けて、前面扉３６の下端部内面に手を掛けて前面扉３６を開くことができるようにするとともに、底板３２の前端部の上面に防虫パッキン３８を固定して隙間３７からの虫の侵入を防止する構成が知られている。
【０００４】
また、図４（ｃ）、（ｄ）に示す従来例２ののアッパーキャビネット４１のように、前面扉４２の下端部４３がキャビネット本体部４６の底板４７より下方まで延びるようにすることで、前面扉４２の下端部４３の内面に手を掛けて前面扉４２を開くことができるようにする構成が知られている。
【０００５】
さらに、吊戸棚の底部に水平に位置して水切り棚が設けられており、水切り棚の下方は、開放されている構成が知られている（特許文献１参照）。
【先行技術文献】
【特許文献】
【０００６】
【特許文献１】特開平１０−１２６号公報
【発明の概要】
【発明が解決しようとする課題】
【０００７】
底板３２を側板３６より短くして隙間３７を形成するとともに、底板３２に防虫パッキン３８を固定する従来例１の取手レスのアッパーキャビネット３１（図４（ａ）、（ｂ）参照）は、防虫パッキン３８を取り付けなくてはならず、部品点数が多くなりコストアップとなるデメリットがあり、防虫パッキン３８は防虫、防水、防湿、防塵等の機能はあるが、それ以外には機能しない。
【０００８】
ところで、アッパーキャビネット、レンジフード等は、上下方向の丈を例えば７００ｍｍ等に揃えて見た目の統一が図ることは、当業者の技術常識とされている。しかしながら、従来例２の取手レスのアッパーキャビネット４１（図４（ｃ）、（ｄ）参照）は、前面扉４２の下端部４３がキャビネット本体部４６の底板４７より下方まで延ばすことで、前面は隣接するレンジフード等と下端が揃っているが、その奥側のキャビネット本体部４６は、丈が短いために、レンジフード等と下端が揃わないので意匠性を損なうという問題がある。
【０００９】
そして、特許文献１記載の吊戸棚は、扉の下端部に手を掛けて開くことができるが、下方に開放されている構成は、底部に水切り棚を設ける特別の用途のための構成としてはやむ得ないが、通常の吊戸棚では、見た目も悪く、また埃、水、湿気、虫等が下方から入り易いので、必ずしも好ましくはない。
【００１０】
本発明は、上記従来の問題を解決し、前面扉の下端とキャビネット本体部の下端が揃っており、扉の下端に手を掛けることができ、埃、水、湿気、虫等が下方から入りにくくするとともに、前面扉の内面側のデッドスペースを活用し、キャビネット内の収納スペースを有効利用して収納力を高めることの可能な取手を設けないタイプのアッパーキャビネットを実現することを課題とする。
【課題を解決するための手段】
【００１１】
本発明は上記課題を解決するために、壁面に設置されるアッパーキャビネットであって、前記アッパーキャビネットは、前面が開放するように箱状に形成され、内部を収納部とするキャビネット本体部と、前記キャビネット本体部の前面側に取り付けられ、前記キャビネット本体部の側板または天板のいずれかに沿った軸を中心として回動するように開閉する前面扉と、を備え、前記キャビネット本体部の底板は、下面が前記前面扉の下端と同一高さに揃えられ、かつ前面端の少なくとも横幅方向の一部が前記キャビネット本体部の他の部分の前面端よりも後退した位置に設けられることにより、前記前面扉を開閉するための手掛かり部が形成されており、前記前面扉の内面のうち、前記手掛かり部に対応する位置には桟状の収納部材が取り付けられていることを特徴とするアッパーキャビネットを提供する。
【００１２】
前記キャビネット本体部の底板は、前面端の全部が前記キャビネット本体部の他の部分の前面端よりも後退した位置に設けられ、前記収納部材は、前記キャビネット本体部の底板の横幅方向全域に対応する幅寸法に設定されている構成とすることが好ましい。
【００１３】
前記前面扉の内面には、前記収納部材よりも上方の位置に、収納物を保持するための保持部材が設けられていることが好ましい。  
【発明の効果】
【００１４】
本発明によれば、次の効果が生じる。
（１）前面扉の下端とキャビネット本体部の下端が揃っているので、隣接するレンジフード等と下端を揃えることが可能となり、見た目を損なうようなことはない。
【００１５】
（２）キャビネット本体部の下方は、底板の前端側の僅かな隙間を除いて略閉じられており、しかも、上記隙間のすぐ上方には、桟状の収納部材が取り付けられているので、見た目を損なうようなことはなくなり、前面扉の内面側のデッドスペースを有効利用して収納力を高めることができるとともに、底板の前端側埃、水、湿気が下方から入りにくくなる。
【図面の簡単な説明】
【００１６】
【図１】本発明に係るアッパーキャビネットの実施例を説明する図であり、（ａ）は正面図であり、（ｂ）は（ａ）のＢ−Ｂ断面図であり、（ｃ）は（ｂ）の要部拡大図である。
【図２】上記実施例のアッパーキャビネットの構成、作用を説明する図であり、（ａ）は前面扉の内面側の斜視図であり、（ｂ）〜（ｄ）は収納部への収納手順を説明する図である。
【図３】上記上記実施例のアッパーキャビネットにおける手掛かりを形成する隙間の構成を説明する図であり、（ａ）は隙間が横幅方向の略全域に形成される構成を示し、（ｂ）は隙間が横幅方向の一部に形成される構成の一例を示す。
【図４】従来のアッパーキャビネットの構成を示し、（ａ）は従来例１のアッパーキャビネットの断面図を示し、（ｂ）は（ａ）の要部拡大図を示し、（ｃ）は従来例２のアッパーキャビネットの断面図を示し、（ｄ）は（ｃ）の要部拡大図を示す。
【発明を実施するための形態】
【００１７】
本発明に係るアッパーキャビネットを実施するための形態を実施例に基づき図面を参照して、以下説明する。本明細書では、アッパーキャビネットを正面視し、左右を左右方向とし、手前奥行き方向を前後方向とする。
【実施例】
【００１８】
本発明に係るアッパーキャビネットの実施例を図１〜３において説明する。アッパーキャビネット１は、キッチン等の壁面に設置されて使用される。アッパーキャビネット１は、図１（ａ）、（ｂ）に示すように、前面が開放するように箱状に形成されており、内部を収納部とするキャビネット本体部２と、前面扉３と、を備えている。
【００１９】
キャビネット本体部２は、左右の側板６、天板７及び底板８を備えている。キャビネット本体部２内には、棚板１１が１段または複数段（本実施例では２段）取り付けられている。
【００２０】
キャビネット本体部２の後面側には、上下に水平の桟板１２が設けられており、桟板１２の前面には薄板１３が張り付けられている。この薄板１３によって、キャビネット本体部２の後面開口を閉じている。
【００２１】
前面扉３は、キャビネット本体部２の前面側に開閉可能に取り付けられている。具体的には、前面扉３は、キャビネット本体部２の側板６または天板７のいずれかに沿った軸を中心として回動し、開閉可能に取り付けられている。
【００２２】
アッパーキャビネット１は、前面扉３は左右一対となるように２枚備えており、それぞれ左右の側板６の前端にヒンジ１６によって左右に開閉可能（観音開き可能）に設けられている。図示はしないが、前面扉３を天板７に沿った軸を中心として回動可能に取り付ける場合は、天板７の前端にヒンジによって取り付ける構成とすればよい。また、前面扉が１枚で、片開きの構成とすることもできる。
【００２３】
キャビネット本体部２の底板８は、図１（ｂ）、（ｃ）に示すように、その下面が前面扉３の下端及び側板６の下端と同一高さに揃えられ、かつその前面端１７の少なくとも横幅方向の一部、換言すると横幅方向の全域または一部が、側板６等キャビネット本体部２の他の部分の前面端１８よりも後退した位置に設けられている。
【００２４】
底板８の前面端１７が、キャビネット本体部２の他の部分の前面端１８よりも後退した位置に設けられられていると、前面扉３を閉めた状態では、前面扉３と底板８との間には隙間２１が残るので、その隙間２１から手を入れて前面扉３の下端後面に手を掛けて開閉する手掛かり部が形成される。
【００２５】
図３（ａ）に示す例では、底板８の前面端１７は、その横幅方向の全域が、側板６等、キャビネット本体部２の他の部分の前面端１８よりも後退した位置となるように形成されており、前面扉３との間にキャビネット本体部２の横幅方向の全域に手掛かり部を形成する隙間２１が設けられる。
【００２６】
図３（ｂ）に示す例では、底板８の前面端１７の横幅方向の一部、即ち左右の前面扉に対応して２カ所が側板６等、キャビネット本体部２の他の部分の前面端１８よりも後退した位置となるように形成され、前面扉３との間に手掛かり部を形成する隙間２１は、横幅方向の一部、即ち左右の前面扉３に対応して２カ所に設けられる。
【００２７】
このような構成とするために、底板８には、左右の隙間２１が形成される一部について前面端１７から後方に向けて、左右の隙間２１の横幅及び縦幅に相当する左右の切り欠き２４が形成されており、底板８の前面端１７の他の部分は、側板６等、キャビネット本体部２の他の部分の前面端１８と同じ位置となるようにに形成されている。  
【００２８】
このように、底板８は、その前面端１７の少なくとも一部、換言すると横幅方向の全域または一部が、キャビネット本体部２の他の部分の前面端１８よりも後退した位置となるように構成され、手掛かり部を形成する隙間２１は、横幅方向の少なくとも一部、換言すると横幅方向の全域または一部に設けられる。
【００２９】
前面扉３の内面のうち、手掛かり部に対応する位置には、図１（ａ）〜（ｃ）、図２（ａ）〜（ｄ）に示すように、桟状の収納部材２２が取り付けられている。具体的には、桟状の収納部材２２は、手掛かり部を形成する隙間２１の上方であって、前面扉３の内面に水平に取り付けられている。
【００３０】
前面扉３における下端から収納部材２２の下面までの部分が、前面扉３を開く際に手を掛けることのできる部分となる。従って、この部分に手を掛けることができる程度の寸法、例えば、前面扉３の下端から２０ｍｍ程度の位置に収納部材２２の下面がくるように、収納部材２２を取り付けるとよい。
【００３１】
収納部材２２は、図１（ｃ）に示すように、その長手方向に直角の断面が凹字型であり、その下面における前後方向の幅（奥行きの幅）は、前面扉３と底板８との間には隙間２１を遮蔽して覆い隠し、その後端が底板８の上面の上方に位置するようになる程度だけ、隙間２１より前後方向に若干長い寸法とする。
【００３２】
そのような寸法とすると、収納部材２２によって隙間２１が隠されて下方から隙間２１を通してアッパーキャビネット１内は見えなくなり、また、埃、水、湿気、虫等が入りにくくなる効果が生じる。この効果は、特に、収納部材２２の下面にパッキン２３を取り付けることで、より一層増す。                        
【００３３】
ところで、手掛かり部を形成する隙間２１は、前記したとおり、横幅方向の少なくとも一部に設けられていればよい、即ち、横幅方向の一部または全域に設けられているが、このような手掛かり部を形成する隙間２１の位置に対応して前面扉３に設ける収納部材２２は、隙間２１を遮蔽する程度であれば横幅方向にほぼ同じ長さに設けてもよいが、同じ長さでなくても、隙間２１を覆い隠すのであれば、隙間２１より長くなるように設けてもよい。
【００３４】
例えば、通常は、隙間２１が横幅方向の一部に形成される場合であっても、収納部材２２は、その左右両端面が左右の側板６の内面に当接しない程度に、前面扉の横幅方向のほぼ全域にわたって設ける構成としてもよい。要するに、手掛かり部に対応する位置に取り付けられる桟状の収納部材２２は、手掛かり部を形成する隙間２１を覆い隠せれば、必ずしも手掛かり部と同じ長さである必要はない。
【００３５】
そして、前面扉３の内面には、図２（ａ）に示すように、収納部材２２の位置に対応して、収納部材２２よりも上方の位置に、収納する物品を保持するための保持部材２６が設けられている。保持部材２６は、収納部材２２の横幅にほぼ同じように横幅方向に伸びる平面視で門型の杆材からなる。
【００３６】
保持部材２６は、図２（ａ）に示す構成以外にも、いろいろな構成がある。例えば、図示はしないが、収納される物品（例えば、包丁類等）を位置決めして倒れないように、門型の杆材に複数の仕切枠を設けた構成、或いは平面視門型でも、図２（ａ）に示すように横幅方向に長くなくない保持部材を、物品１つずつを保持するために複数、隔設する構成としてもよい。
【００３７】
また、保持部材２６は、門型の杆材ではなく、弾性部材かなる略Ω状の挟持部材を複数、横幅方向に間隔をおいて設ける構成としてもよい。このような挟持部材からなる保持部材によって、収納部材２２に載置した物品の上部を挟持すれば、天板７に沿った軸に回動可能に取り付けた前面扉の場合でも、物品を落下させることなく保持可能となる。
【００３８】
なお、左右の側板６の前面端、天板７の前面端、及び左右の前面扉３の互いの合わせ面の一方等には、埃、水、湿気、虫等が入り込むことを防止するパッキン２７が取り付けられている。また、前記したとおり、収納部材２２の下面にはパッキン２３を取り付けるとよい。
【００３９】
（作用）
以上の構成からなるアッパーキャビネット１の作用をその使用態様を通して、以下に説明する。図１（ａ）〜（ｃ）に示すアッパーキャビネット１の前面扉３が閉じた状態から開く場合は、隙間２１に手を入れて、前面扉３の下端部の内面に手を掛けて前方に引けばよい。
【００４０】
そして、収納部材２２に物品を収納する場合は、図２（ｂ）に示すように、収納すべき物品２８の上端を下方から保持部材２６内に挿入し上方に上げてから、図２（ｃ）に示すように収納部材２２内に下げる。
【００４１】
そして、図２（ｄ）に示すように物品２８を、その下端を収納部材２６に載置し、かつその上端側を保持部材２２で保持して収納すればよい。収納部収納部材２２から物品を取り出す場合は、収納する手順の逆を行えばよい。
【００４２】
本発明のアッパーキャビネット１では、底板８の前面端１７の少なくとも横幅方向の一部が、キャビネット本体部２の他の部分の前面端１８よりも後退した位置に設けられ、隙間２１を残して手掛かり部が形成されているので、前面扉３を開閉することができる。
【００４３】
そして、前面扉３の内面に収納部材２２が設けられているので、前面扉２の内面側のデッドスペースが収納空間として活用でき、しかも収納部材２２は、前面扉３と底板８の前面端の間の隙間２１を遮蔽するように設けられているので、見栄えを損なうようなことがなくなるとともに、埃、水分、湿気、虫等が入りにくくなる。
【００４４】
以上、本発明に係るアッパーキャビネットを実施するための実施の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
本発明に係るアッパーキャビネットは上記のような構成であるから、キッチンにおけるもアッパーキャビネットだけでなく、他の場所に取り付けるアッパーキャビネットにも適用可能である。
【符号の説明】
【００４６】
１  アッパーキャビネット                                   
２  キャビネット本体部                                     
３  前面扉                                                 
６  左右の側板                                             
７  天板                                                   
８  底板                                                   
１１  棚板                                                 
１２  桟板                                                 
１３  薄板                                                 
１６  ヒンジ                                               
１７  底板の前面端                                         
１８  本体部の前面端                                       
２１  前面扉と底板の間の隙間                               
２２  収納部材                                             
２３  収納部材の下面に取り付けられたパッキン               
２４  底板に形成された切り欠き                             
２６  保持部材                                             
２７  側板、天板、前面扉等に取り付けられたパッキン         
２８  物品                                                 
３１  従来例１のアッパーキャビネット                       
３２  底板                                                 
３６  側板の前面扉                                         
３７  隙間                                                 
３８  防虫パッキン                                         
４１  従来例２のアッパーキャビネット                       
４２  前面扉                                               
４３  下端部                                               
４６  キャビネット本体部                                   
４７  底板                                                 
【図１】
2015217061.tif 000003
【図２】
2015217061.tif 000004
【図３】
2015217061.tif 000005
【図４】
2015217061.tif 000006